【手続補正書】
【提出日】平成18年12月28日(2006.12.28)
【手続補正１】
【補正対象書類名】明細書
【補正対象項目名】発明の名称
【補正方法】変更
【補正の内容】
【発明の名称】部品供給装置
【手続補正２】
【補正対象書類名】明細書
【補正対象項目名】特許請求の範囲
【補正方法】変更
【補正の内容】
【特許請求の範囲】
【請求項１】  多数の部品を所定ピッチで保持したキャリアテープをテープ押さえで部品供給ガイド上に押し付けた状態で部品供給ガイドに沿って間欠移動させ、部品を所定位置に供給する部品供給装置であって、テープ押さえのテープ移動方向上手側端部の被支持部を上下揺動自在に軸支部にて支持するとともに下手側端部の引掛部を引下げ手段に係合させ、かつ軸支部の高さ位置をキャリアテープの厚さに応じて高さ位置を可変する位置調整手段を備え、前記位置調整手段は、キャリアテープに係合してその厚さの変化に応じて上下移動する検出ローラと、前記軸支部を支持・付勢して、前記検出ローラの位置変化を前記軸支部の上下移動に連動させる連動手段とからなることを特徴とする部品供給装置。
【請求項２】 多数の部品を所定ピッチで保持したキャリアテープをテープ押さえで部品供給ガイド上に押し付けた状態で部品供給ガイドに沿って間欠移動させ、部品を所定位置に供給する部品供給装置であって、テープ押さえのテープ移動方向上手側端部の被支持部を上下揺動自在に軸支部にて支持するとともに下手側端部の引掛部を引下げ手段に係合させ、かつ軸支部の高さ位置をキャリアテープの厚さに応じて高さ位置を可変する位置調整手段を備え、前記位置調整手段は、キャリアテープの上面に係合する固定ローラと、固定ローラに対向する位置でキャリアテープの下面に係合してその厚さの変化に応じて上下移動する検出ローラと、一端に前記検出ローラが、他端に前記軸支部が結合され、中間部が回転自在に支持された検出レバーと、前記軸支部が下方に移動するように付勢する付勢手段とからなることを特徴とする部品供給装置。
【手続補正３】
【補正対象書類名】明細書
【補正対象項目名】０００１
【補正方法】変更
【補正の内容】
【０００１】
【発明の属する技術分野】
本発明は、部品供給装置に関し、特に多数の部品を所定ピッチで保持したキャリアテープを部品供給ガイドに沿って間欠移動させて部品を所定位置に供給する部品供給装置に関するものである。
【手続補正４】
【補正対象書類名】明細書
【補正対象項目名】００１０
【補正方法】変更
【補正の内容】
【００１０】
本発明は、上記従来の問題点に鑑み、テープ押さえを大型化することなく、キャリアテープの厚さが変化してもその供給移動時に部品に回転や振動を生じるのを防止し、常に部品を適正に供給することができる部品供給装置を提供することを目的としている。
【手続補正５】
【補正対象書類名】明細書
【補正対象項目名】００１１
【補正方法】変更
【補正の内容】
【００１１】
【課題を解決するための手段】
本願の第１発明の部品供給装置は、多数の部品を所定ピッチで保持したキャリアテープをテープ押さえで部品供給ガイド上に押し付けた状態で部品供給ガイドに沿って間欠移動させ、部品を所定位置に供給する部品供給装置であって、テープ押さえのテープ移動方向上手側端部の被支持部を上下揺動自在に軸支部にて支持するとともに下手側端部の引掛部を引下げ手段に係合させ、かつ軸支部の高さ位置をキャリアテープの厚さに応じて高さ位置を可変する位置調整手段を備え、前記位置調整手段は、キャリアテープに係合してその厚さの変化に応じて上下移動する検出ローラと、前記軸支部を支持・付勢して、前記検出ローラの位置変化を前記軸支部の上下移動に連動させる連動手段とからなることを特徴とする。
【手続補正６】
【補正対象書類名】明細書
【補正対象項目名】００１２
【補正方法】変更
【補正の内容】
【００１２】
また、本願の第２発明の部品供給装置は、多数の部品を所定ピッチで保持したキャリアテープをテープ押さえで部品供給ガイド上に押し付けた状態で部品供給ガイドに沿って間欠移動させ、部品を所定位置に供給する部品供給装置であって、テープ押さえのテープ移動方向上手側端部の被支持部を上下揺動自在に軸支部にて支持するとともに下手側端部の引掛部を引下げ手段に係合させ、かつ軸支部の高さ位置をキャリアテープの厚さに応じて高さ位置を可変する位置調整手段を備え、前記位置調整手段は、キャリアテープの上面に係合する固定ローラと、固定ローラに対向する位置でキャリアテープの下面に係合してその厚さの変化に応じて上下移動する検出ローラと、一端に前記検出ローラが、他端に前記軸支部が結合され、中間部が回転自在に支持された検出レバーと、前記軸支部が下方に移動するように付勢する付勢手段とからなることを特徴とする。
【手続補正７】
【補正対象書類名】明細書
【補正対象項目名】００１３
【補正方法】変更
【補正の内容】
【００１３】
本願の第１、第２発明によれば、キャリアテープの上面がテープ押さえにて常に略平行に押し付けられた状態で覆われているため、キャリアテープの供給移動時に部品に回転や振動を生じるのを確実に防止でき、常に部品を適正に供給することができる。またキャリアテープのメンテナンス時には引掛部と引下げ手段との係合を解除することによってテープ押さえの下手側端部を上方に揺動させて開くことができ、容易にメンテナンスを行うことができる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本願の第１発明によれば、検出ローラにてキャリアテープの厚さを検出して軸支部を位置調整できるので、キャリアテープの供給移動時に大きな摩擦力を発生することなく、キャリアテープの厚さ変化に応じてテープ押さえを平行に移動させることができる。
【手続補正１０】
【補正対象書類名】明細書
【補正対象項目名】００１６
【補正方法】変更
【補正の内容】
【００１６】
本願の第２発明によれば、キャリアテープの厚さ変化に応じて検出レバーが揺動し、軸支部が位置調整されるので、検出レバーの揺動動作による簡単・安価な構成でかつ高い動作信頼性をもってテープ押さえを平行移動させることができる。
【手続補正１１】
【補正対象書類名】明細書
【補正対象項目名】００３１
【補正方法】変更
【補正の内容】
【００３１】
【発明の効果】
本発明の部品供給装置によれば、以上の説明から明らかなように、キャリアテープの厚さの変化に応じてテープ押さえを略平行に移動させ、キャリアテープの厚さが変化してもキャリアテープに対して略平行な押し付け状態を維持するようにしているので、キャリアテープの上面が常にテープ押さえにて略平行に押し付けられた状態で覆われ、キャリアテープの供給移動時に部品に回転や振動を生じるのを確実に防止でき、常に部品を適正に供給することができる。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】